(57)【要約】【課題】省エネでは、夏期の早朝や夜間などで窓を開けて通風を利用しようとしても第３種換気システムの場合は窓を閉じている部屋の給気量が不足し、第１種換気システムの場合は大風量で消費電力が大きい排気用送風機が無駄に運転している状態が頻繁に生じる。【解決手段】複数の部屋に給気用換気装置を設けるとともに排気用換気装置を住宅全体で少なくとも一つ以上設けることで住宅全体を換気する換気経路を構成し、前記換気装置に換気装置を制御する制御装置を設け、給気用換気装置が運転時には前記排気用換気装置の少なくとも一つ以上を運転させない制御構成とする。【選択図】図１
2005061737.tif 000002
【特許請求の範囲】
【請求項１】
複数の部屋に給気用換気装置あるいは給気用換気装置からダクト接続された給気口を設けるとともに排気用換気装置を住宅全体で少なくとも一つ以上設け、住宅内に前記吸気用換気装置あるいは吸気口から排気用換気装置へ至る換気経路を構成し、前記給気用換気装置が運転時には排気用換気装置の少なくとも一つ以上を運転しないことを特徴とする換気システム。
【請求項２】
室外熱交換器と送風機とを備えた室外ユニットと接続し、冷凍回路を構成する室内ユニットにダクトを介して給気用換気装置と接続して前記室内ユニットを複数の部屋に配設するとともに排気用換気装置を住宅全体で少なくとも一つ以上設け、住宅内に前記吸気用換気装置あるいは吸気口から排気用換気装置へ至る換気経路を構成し、前記給気用換気装置が運転時には排気用換気装置の少なくとも一つ以上を運転しないことを特徴とする換気システム。
【請求項３】
室外熱交換器と送風機とを備えた室外ユニットと接続し、冷凍回路を構成する室内ユニットの内部に給気用換気装置を設け、前記室内ユニットを複数の部屋に配設するとともに排気用換気装置を住宅全体で少なくとも一つ以上設け、住宅内に前記吸気用換気装置あるいは吸気口から排気用換気装置へ至る換気経路を構成し、室内ユニット内部に設けた給気用換気装置が運転時には前記排気用換気装置の少なくとも一つ以上を運転しないことを特徴とする換気システム。
【請求項４】
冷房運転モードで運転時には給気用換気装置を運転させるとともに排気用換気装置の少なくとも一つ以上を運転させない制御構成としたことを特徴とする、請求項２〜３のいずれかに記載の換気システム。
【請求項５】
暖房運転モードで運転時には排気用換気装置の少なくとも一つ以上を運転させる制御構成としたことを特徴とする、請求項２〜３のいずれかに記載の換気システム。
【発明の詳細な説明】
【技術分野】
【０００１】
本発明は住宅の一部屋だけでなく、住宅全体を換気する換気システムに関するものである。
【背景技術】
【０００２】
近年、少ないエネルギー消費量で居住者の快適性を得ることを目的として住宅の気密性能と断熱性能とを向上させた種々の省エネルギー住宅が建設されている。これら省エネルギー住宅は元々北欧や北米などの寒冷地において生まれたもので、前述の対策を施すことにより暖房時の空調負荷を大幅に低減している。さらには夏期冷房時においても省エネルギー効果を期待できるため関東以西でも採用が増えつつある。
【０００３】
省エネルギー住宅では冬期、住宅の隙間を原因として生じる自然換気量を主因とする暖房空調負荷が大きく変化しないように住宅の隙間を極力減らすべく気密性能を上げている。よって通常の住宅では問題とならない自然換気量が減り、生活する上で必要な換気量は多くの場合、送風機などを使用した換気システムで、室内から室外への排気量や室外から室内への給気量あるいはその両方をコントロールすることで得ている。
【０００４】
住宅全体の換気を担う換気システムとしては例えば図６に示すものがある。
【０００５】
同図はその換気システムの概略図を示す構成図であり、図において１０２は排気用の送風機で１０４は給気用の送風機であり、給気経路と排気経路の両方に送風機を設けて、換気運転時に両方の送風機を運転する第１種換気システムを示している。同図で排気経路のみ送風機を使用して給気経路は送風機を使用せず、各部屋に給気口を設けた第３種換気システムがあり、この場合換気運転時には排気用の送風機のみが運転する。同図のように第１種換気システムでは換気装置の一体型構成が一般的であり、さらに給気経路と排気経路との間に熱交換器を設けて排気側の空気の熱を給気側の空気に回収する構成としたものもある（例えば、特許文献１参照）。
【０００６】
なお第１種換気システムには図５に示す換気システムもある。同図はその換気システムの概略図を示す構成図であり、図に示すように複数の居室など高いクリーン度が必要なゾーンに給気用送風機２０９を設け、汚れやすい台所や浴室あるいはトイレなど低いクリーン度でても問題ないゾーンには排気用送風機２１１や２１１Ａを設けて第１種換気システムを一体型でなく分離型で構成し、換気運転時には一体型と同じく両方の送風機を運転する（例えば、特許文献２参照）。
【特許文献１】特開昭６０−６２５４０号公報
【特許文献２】特開平９−４８９０号公報
【発明の開示】
【発明が解決しようとする課題】
【０００７】
上記従来の換気システムは第１種および第３種換気システムのどちらも当然ながら住宅の気密性能が確保された状態つまり住宅の全ての窓を閉じた状態で動作させることを前提としているため、季節によって居住者の希望通りの使い方ができない場合がある。つまり冬期は冷たい外気が屋内に侵入するのを防止するために終日住宅の全ての窓を閉じて生活することに違和感はなく、そのような使い方が無理なく実施可能であり、この状態で前述の換気システムはどちらも何ら問題なく有効に動作する。
【０００８】
ところが夏期の早朝や夜間などで冷房負荷が小さい時は空調機を使わず窓を開けて通風を利用したいとの欲求が省エネルギーの観点だけでなく生じる場合もある。しかしながら窓が開いた状況、例えば自分の部屋は閉め切って冷房しているが他の部屋で窓を開けている場合などで、住宅全体の換気装置として第３種換気システムを採用していると、窓が開いている部屋からほとんどが給気され当該部屋の給気量が不足するとの重大な課題がある。
【０００９】
また早朝など全ての窓を開けている状態から自分の部屋のみを冷房したい時に当該部屋の換気量を確保するためだけに全ての部屋の窓を閉じることは甚だ手間が掛かり、また窓を閉めることで当該部屋以外でも冷房運転が必要になってしまう。
【００１０】
よってこのような不具合や手間を避けるため冷房時においても暖房時と同じように全ての部屋の窓を閉じて運転することを使用方法として推奨しているのが現状であり、居住者の思いに答えることができない使い勝手が悪いシステムとなっている。
【００１１】
第１種換気システムを採用している場合には排気用送風機だけでなく給気用送風機があるため前述のような場合でも換気量不足は起こらないが、外気による通風を住宅の各部屋で、また累積時間的にも積極的に利用すればするほど住宅全体の排気を担う大風量で消費電力が大きい排気用送風機が無駄に運転している状態が頻繁に生じることになる。
【００１２】
そこで、本発明は従来の課題に対して、季節や居住者の好みなどにより換気システムを使い分け、有効かつ無駄なくまた使い勝手よく動作させることが可能な住宅全体換気用の換気システムを提供することを目的とするものである。
【課題を解決するための手段】
【００１３】
上記課題を解決するために本発明は、複数の部屋に給気用換気装置あるいは給気用換気装置からダクト接続された給気口を設けるとともに排気用換気装置を住宅全体で少なくとも一つ以上設け、住宅内に前記吸気用換気装置あるいは吸気口から排気用換気装置へ至る換気経路を構成し、前記給気用換気装置が運転時には排気用換気装置の少なくとも一つ以上を運転しないものである。
【００１４】
この構成をなすことにより、夏期の早朝や夜間などで窓が開いた状況、例えば自分の部屋は閉め切って冷房しているが他の部屋で窓を開けている場合などでも給気用換気装置を運転するために当該部屋で換気量不足を起こすことがなく、また同時に給気用換気装置が運転している場合には住宅全体の排気を担う大風量で消費電力が大きい排気用換気装置を運転させないことが可能となり、無駄なく使い勝手よくまた必要な部屋には確実な換気運転が可能な換気システムを提供することができる。
【００１５】
また、本発明は、室外熱交換器と送風機とを備えた室外ユニットと接続し、冷凍回路を構成する室内ユニットにダクトを介して給気用換気装置と接続して前記室内ユニットを複数の部屋に配設するとともに排気用換気装置を住宅全体で少なくとも一つ以上設け、住宅内に前記吸気用換気装置あるいは吸気口から排気用換気装置へ至る換気経路を構成し、前記給気用換気装置が運転時には排気用換気装置の少なくとも一つ以上を運転しないものである。
【００１６】
この構成をなすことにより、夏期の早朝や夜間などで窓が開いた状況、例えば自分の部屋は閉め切って冷房しているが他の部屋で窓を開けている場合などでも冷凍回路を利用した空気調和機の室内ユニットとダクト接続した給気用換気装置を運転するために当該部屋で換気量不足を起こすことがなく、また同時に給気用換気装置が運転している場合には住宅全体の排気を担う大風量で消費電力が大きい排気用換気装置を運転させないことが可能となり、無駄なく使い勝手よくまた必要な部屋には確実な換気運転が可能な換気システムを提供することができる。
【００１７】
また本発明は、室外熱交換器と送風機とを備えた室外ユニットと接続し、冷凍回路を構成する室内ユニットの内部に給気用換気装置を設け、前記室内ユニットを複数の部屋に配設するとともに排気用換気装置を住宅全体で少なくとも一つ以上設け、住宅内に前記吸気用換気装置あるいは吸気口から排気用換気装置へ至る換気経路を構成し、室内ユニット内部に設けた給気用換気装置が運転時には前記排気用換気装置の少なくとも一つ以上を運転しないものである。
【００１８】
この構成をなすことにより、夏期の早朝や夜間などで窓が開いた状況、例えば自分の部屋は閉め切って冷房しているが他の部屋で窓を開けている場合などでも冷凍回路を利用した空気調和機の室内ユニットに内蔵した給気用換気装置を運転するために当該部屋で換気量不足を起こすことがなく、また同時に給気用換気装置が運転している場合には住宅全体の排気を担う大風量で消費電力が大きい排気用換気装置を運転させないことが可能となり、無駄なく使い勝手よくまた必要な部屋には確実な換気運転が可能な換気システムを提供することができる。
【００１９】
また本発明は、冷房運転モードで運転時には給気用換気装置を運転させるとともに排気用換気装置の少なくとも一つ以上を運転させない制御構成としたものである。
【００２０】
この構成をなすことにより、夏期に他の部屋は窓を開けて通風を利用しているが自分の部屋を冷房したいときに空気調和機を冷房運転すれば自動的に給気用換気装置が運転するために当該部屋で換気量不足を起こすことがなく、また同時に住宅全体の排気を担う大風量で消費電力が大きい排気用換気装置を運転させないため、無駄なく使い勝手よくまた必要な部屋には確実な換気運転が可能な換気システムを提供することができる。
【００２１】
また本発明は、暖房運転モードで運転時には排気用換気装置の少なくとも一つ以上を運転させる制御構成としたものである。
【００２２】
この構成をなすことにより、冬期のように住宅のすべての窓を閉めて生活するのが普通である場合には、ある部屋の空気調和機を暖房運転すれば自動的に住宅全体の排気用換気装置が運転して当該部屋のみならず住宅全体が換気できることになり、使い勝手よくまた確実な換気運転が可能な換気システムを提供することができる。
【発明の効果】
【００２３】
以上説明したように、本発明は、複数の部屋に給気用換気装置あるいは給気用換気装置からダクト接続された給気口を設けるとともに排気用換気装置を住宅全体で少なくとも一つ以上設けることで住宅全体を換気する換気経路を構成し、前記給気用換気装置が運転時には排気用換気装置の少なくとも一つ以上を運転させない制御構成としたことにより、夏期の早朝や夜間などで窓が開いた状況、例えば自分の部屋は閉め切って冷房しているが他の部屋で窓を開けている場合などでも給気用換気装置を運転するために当該部屋で換気量不足を起こすことがなく、また同時に給気用換気装置が運転している場合には住宅全体の排気を担う大風量で消費電力が大きい排気用換気装置を運転させないことが可能となり、無駄なく使い勝手よくまた必要な部屋には確実な換気運転が可能な換気システムを提供することができる。
【００２４】
また本発明は、室外熱交換器と送風機とを備えた室外ユニットに接続されて冷凍回路を構成する室内ユニットをダクトにて給気用換気装置と接続して複数の部屋に配設するとともに排気用換気装置を住宅全体で少なくとも一つ以上設けることで住宅全体を換気する換気経路を構成し、前記給気用換気装置が運転時には排気用換気装置の少なくとも一つ以上を運転させない制御構成としたことにより、夏期の早朝や夜間などで窓が開いた状況、例えば自分の部屋は閉め切って冷房しているが他の部屋で窓を開けている場合などでも冷凍回路を利用した空気調和機の室内ユニットとダクト接続した給気用換気装置を運転するために当該部屋で換気量不足を起こすことがなく、また同時に給気用換気装置が運転している場合には住宅全体の排気を担う大風量で消費電力が大きい排気用換気装置を運転させないことが可能となり、無駄なく使い勝手よくまた必要な部屋には確実な換気運転が可能な換気システムを提供することができる。
【００２５】
また本発明は、室外熱交換器と送風機とを備えた室外ユニットに接続されて冷凍回路を構成する室内ユニットの内部に給気用換気装置を設けて、複数の部屋に配設するとともに排気用換気装置を住宅全体で少なくとも一つ以上設けることで住宅全体を換気する換気経路を構成し、室内ユニット内部に設けた給気用換気装置が運転時には前記排気用換気装置の少なくとも一つ以上を運転させない制御構成としたことにより、夏期の早朝や夜間などで窓が開いた状況、例えば自分の部屋は閉め切って冷房しているが他の部屋で窓を開けている場合などでも冷凍回路を利用した空気調和機の室内ユニットに内蔵した給気用換気装置を運転するために当該部屋で換気量不足を起こすことがなく、また同時に給気用換気装置が運転している場合には住宅全体の排気を担う大風量で消費電力が大きい排気用換気装置を運転させないことが可能となり、無駄なく使い勝手よくまた必要な部屋には確実な換気運転が可能な換気システムを提供することができる。
【００２６】
また本発明は、空気調和機が冷房運転モードで運転時には給気用換気装置を運転させるとともに排気用換気装置の少なくとも一つ以上を運転させない制御構成としたことにより、夏期に他の部屋は窓を開けて通風を利用しているが自分の部屋を冷房したいときに空気調和機を冷房運転すれば自動的に給気用換気装置が運転するために当該部屋で換気量不足を起こすことがなく、また同時に住宅全体の排気を担う大風量で消費電力が大きい排気用換気装置を運転させないことが可能となり、無駄なく使い勝手よくまた必要な部屋には確実な換気運転が可能な換気システムを提供することができる。
【００２７】
また本発明は、空気調和機が暖房運転モードで運転時には排気用換気装置の少なくとも一つ以上を運転させる制御構成としたことにより、冬期のように住宅のすべての窓を閉めて生活するのが普通である場合には、ある部屋の空気調和機を暖房運転すれば自動的に住宅全体の排気用換気装置が運転して当該部屋のみならず住宅全体が換気できることになり、使い勝手よくまた確実な換気運転が可能な換気システムを提供することができる。
【発明を実施するための最良の形態】
【００２８】
以下に、本発明の実施の形態について図面を参照しながら説明する。
【００２９】
（実施の形態１）
図１は本発明の換気システムを住宅に取り付けた設置構成図であり、図２は同実施例の制御回路の構成を示す機能ブロック図、図３は図１および図２中の室内ユニットの構成図、図４は図１および図２中の集中制御ユニットの外観図である。
【００３０】
図１において住宅は平屋で、３つの居室１Ａ、１Ｂ、１Ｃと風呂２、トイレ３、台所４の計６部屋からなる。居室１Ａはリビングに、居室１Ｂと１Ｃは寝室に利用している。６つの部屋はそれぞれ扉６を介して住宅の内部に設けられた廊下５に通じており各扉６の下部にはガラリ等の開口部７が設けられている。３つの居室は開閉可能な窓８を介してそれぞれ外気に面している。
【００３１】
各居室には１台の室外ユニットＰと複数の室内ユニットＡ、Ｂ、Ｃからなる多室空気調和機、いわゆるマルチエアコンの室内ユニットが設置されている。図３に示すように室内ユニットＡ、Ｂ、Ｃの内部には室内熱交換器２１、送風機２２および外気と連通しダクト２３にて接続された給気用送風機２４が備わっている。
【００３２】
室外ユニットＰには圧縮機１０、室外熱交換器１１、送風機１２を駆動するファンモータ１３が備わっている。
【００３３】
天井裏９には排気用換気装置３０が設置されており風呂２、トイレ３、台所４の空間とダクト３１を介して通じている。台所４には調理時に排気用換気装置３０の排気量では排気量が不足のため別途、排気と同時に給気を行う同時給排気型の換気装置４０を設けている。
【００３４】
排気用換気装置３０の内部には排気用送風機３２と駆動用のファンモータ３３を設けている。また排気用換気装置３０には換気制御ユニット５０が接続されており、さらに風呂２およびトイレ３の各扉６横の壁面には排気用換気装置３０を操作する換気操作スイッチ５１がそれぞれ設けられている。
【００３５】
リビング１Ａの壁面にはマルチエアコンの各室内ユニットＡ、Ｂ、Ｃと排気用換気装置３０とを制御する集中制御ユニットＱが設置されている。
【００３６】
続いて、制御回路を図２および図４で説明する。
【００３７】
各室内ユニットＡ、Ｂ、Ｃ（室内ユニットＢとＣは図示せず）はそれぞれマイクロコンピュータおよびその周辺回路からなる室内制御部２０を備える。これら室内制御部２０にリモートコントロール式の運転操作部Ｒ（以後リモコンＲと呼ぶ）室内送風機２２を駆動するファンモータ２５、給気用送風機２４を駆動するファンモータ２６、室内の空気温度を検知する吸込温度センサー２７を接続する。
【００３８】
室外ユニットＰにはマイクロコンピュータおよびその周辺回路からなる室外制御部１４を備えている。この室外制御部１４にインバータ回路１５、冷媒の流れを切り換える４方弁１６を接続する。室外制御部１４には室内制御部２０との接続用に３つの端子を有している。
インバータ回路１５は交流電源１７の電圧を整流し、それを室外制御部１４の指令に応じた所定周波数の交流電圧に変換し、圧縮機モータ１８に駆動出力として供給する。
【００３９】
換気制御ユニット５０にはマイクロコンピュータおよびその周辺回路からなる換気制御部５２を備えている。この換気制御部５２に排気用換気装置３０と換気操作ＳＷ５１を接続する。換気制御部５２には集中制御ユニットＱとの接続用の端子を有している。
【００４０】
集中制御ユニットＱにはマイクロコンピュータおよびその周辺回路からなる集中制御部６０を備えている。この集中制御部６０にマルチエアコンの室内ユニット個々の運転および停止を制御するＳＷ６１および排気用換気装置３０の運転および停止を制御する換気ＳＷ６２を接続する。集中制御ユニットＱには各室内ユニットの室内制御部２０との接続用に３つの端子および換気制御部５２との接続用の端子を有している。
【００４１】
そして、室内制御部２０は、次の機能手段を有している。
【００４２】
１）リモコンＲの操作に基づく運転および停止指令信号を受けて室内送風機２２を駆動するファンモータ２５を運転あるいは停止させる手段。
【００４３】
２）リモコンＲの操作に基づく運転および停止指令信号を室外ユニットＰに送信する手段
３）リモコンＲで設定される運転モード設定信号（冷房・暖房・除湿など）を室外ユニットＰおよび集中制御ユニットＱに送信する手段。
【００４４】
４）リモコンＲで設定される室内設定温度と吸込温度センサー２７の検知温度との差を室内空調負荷として求め、室外ユニットＰに送信する手段
５）リモコンＲで設定される運転モードが「冷房」の場合に給気用送風機２４を駆動するファンモータ２６を運転させる手段。
【００４５】
また、室外制御部１４は、次の機能手段を有している。
【００４６】
１）各室内ユニットＡ、Ｂ、Ｃからの室内空調負荷を受けて圧縮機１０の運転周波数を計算する手段。
【００４７】
２）室内ユニットからの運転モード信号、運転指令信号と室外制御部１４で計算した運転周波数に基づいて室外送風機１２を駆動するファンモータ１３を運転する手段と４方弁１６を切り換え制御する手段と圧縮機１０を駆動する圧縮機モータ１８の回転数を制御する手段。
【００４８】
また、集中制御部６０は、次の機能手段を有している。
【００４９】
１）エアコン運転／停止ＳＷ６１を操作時に当該室内ユニットに運転および停止指令信号を送信する手段。
【００５０】
２）換気運転／停止ＳＷ６２を操作時に換気の運転および停止指令信号を換気制御ユニット５０に送信する手段。
【００５１】
３）室内ユニットからの運転モード設定信号を受け、運転モードが「冷房」時に換気停止指令信号を換気制御ユニット５０に送信する手段。
【００５２】
４）室内ユニットからの運転モード設定信号を受け、運転モードが「暖房」時に換気運転指令信号を換気制御ユニット５０に送信する手段。
【００５３】
５）室内ユニットからの運転モード設定信号を受け、運転モードが「暖房」時に、換気運転／停止ＳＷ６２の操作を受け付けない手段。
【００５４】
さらに、換気制御部５２は、次の機能手段を有している。
【００５５】
１）換気操作スイッチ５１の操作で排気用換気装置３０のファンモータ３３を運転あるいは停止する手段。
【００５６】
２）集中制御ユニットＱからの換気の運転および停止指令信号を受け排気用換気装置３０のファンモータ３３を運転あるいは停止する手段。
【００５７】
３）集中制御ユニットＱからの換気の運転指令信号を受け付け時は換気操作スイッチ５１の操作を受け付けない手段。
【００５８】
つぎに、上記の構成において第１図の換気システムを住宅に取り付けた設置構成図、第２図の制御回路の構成を示す機能ブロック図および第３図の室内ユニットの構成図さらに第４図の集中制御ユニットの外観図を参照にして作用を説明する。
【００５９】
夏期の場合、早朝や夜間などの冷房負荷が小さい時は空調機を使わず各居室の窓８と扉６とを開けて通風を利用する場合がある。その後、外気の温度が高くなりリビング１Ａの窓８と扉６を閉じて、この部屋のみを冷房運転する場合が生じた場合を説明する。
【００６０】
リビング１Ａ用の室内ユニットＡを操作するためのリモコンＲ上の各設定を冷房運転、希望の温度設定にしてリモコンＲ上の運転／停止ＳＷを押すと、室内ユニットＡの室内制御部２０はこれらの信号を受けて、室内送風機２２を駆動するファンモータ２５を運転させるとともに、運転指令信号と運転モード「冷房」信号と室内空調負荷を室外ユニットＰの室外制御部１４に送信する。
【００６１】
室外制御部１４はこれらの信号を受けて、室外送風機１２を駆動するファンモータ１３を運転させるとともに室内の空調負荷に応じて圧縮機１０の運転周波数を計算し圧縮機モータ１８を運転させ冷房運転を開始する。
【００６２】
また、室内ユニットＡは運転モードが「冷房」であるため室内ユニットＡに内蔵された給気用送風機２４を駆動するファンモータ２６を運転させて給気換気を行う。さらに、室内ユニットＡは運転モード「冷房」設定信号を集中制御ユニットＱの集中制御部６０に送信する。
【００６３】
集中制御部６０は「冷房」モード設定信号を受けて、換気停止指令信号を換気制御ユニット５０の換気制御部５２に送信する。
【００６４】
換気制御部５２は集中制御ユニットＱからの停止指令信号を受け排気用換気装置３０のファンモータ３３が運転中であれば停止させる。
【００６５】
給気用送風機２４が運転することで屋外から清浄な外気がリビング１Ａの空間に供給され、その後扉６に設けた開口部７と通じて廊下５にいたる換気経路が形成される。寝室１Ｂと１Ｃはそれぞれ窓８および扉６が開いたままであるため、それぞれの部屋の給気用送風機２４および住宅全体の排気用換気装置３０は停止したままであっても換気については何ら問題ない。
【００６６】
このように冬期のように窓を閉めて生活するのが普通である場合と異なり、夏期の早朝や夜間などで多くの部屋の窓や扉が開いた状況で、ある部屋を閉め切って冷房したい場合などでも各部屋に給気用換気装置があるために当該部屋で換気量不足を起こすことがなく、また同時に給気用換気装置が運転している場合には住宅全体の排気を担う大風量で消費電力が大きい排気用換気装置を自動的に停止させることが可能となるので無駄がなく使い勝手がよい、また必要な時には確実な換気運転が可能となる換気システムを提供することができる。
【００６７】
さらに本実施例では給気用換気装置を空気調和機の室内ユニットに内蔵し冷房運転と連動させることで個々に給気用換気装置を動作させることなく運転が可能となるため使い勝手がよい換気システムを提供することができる。
【００６８】
なお、換気操作ＳＷ５１の操作で排気用換気装置３０のファンモータ３３は独立して運転および停止が可能なので、例えばトイレ３を利用するときにＳＷ５１を操作して排気用換気装置３０を運転させ、利用後に再度ＳＷ５１を操作することで排気用換気装置３０を停止することが可能となっている。
【００６９】
そして冬期の場合には、冷たい外気が屋内に侵入するのを防止するために終日、住宅の全ての窓を閉じている。この状態でリビング１Ａのエアコンを暖房運転する場合を説明する。
【００７０】
リビング１Ａ用の室内ユニットＡを操作するためのリモコンＲ上の各設定を暖房運転、希望の温度設定にしてリモコンＲ上の運転／停止ＳＷを押すと、室内ユニットＡの室内制御部２０はこれらの信号を受けて、室内送風機２２を駆動するファンモータ２５を運転させるとともに、運転指令信号と運転モード「暖房」信号と室内空調負荷を室外ユニットＰの室外制御部１４に送信する。
【００７１】
室外制御部１４はこれらの信号を受けて、四方弁１６を切り変えるとともに室外送風機１２を駆動するファンモータ１３を運転させ室内の空調負荷に応じて圧縮機１０の運転周波数を計算し圧縮機モータ１８を運転させ暖房運転を開始する。
【００７２】
また、室内ユニットＡは運転モード「暖房」設定信号を集中制御ユニットＱの集中制御部６０に送信する。集中制御部６０は「暖房」モード設定信号を受けて、換気運転指令信号を換気制御ユニット５０の換気制御部５２に送信する。
【００７３】
換気制御部５２は集中制御部６０からの換気運転指令信号を受け排気用換気装置３０のファンモータ３３が停止中であれば運転を開始させる。
【００７４】
排気用換気装置３０が運転することで、各室内ユニットの外気に通じたダクト２３から屋外の清浄外気が居室に給気されるとともに、居室の扉６に設けた開口部７、廊下５さらに風呂２、トイレ３、台所４の各扉６に設けた開口部７を通じて排気される換気経路が形成される。
【００７５】
このように冬期のように住宅のすべての窓を閉めて生活するのが普通である場合には、ある部屋の空気調和機を暖房運転すれば自動的に住宅全体の排気用換気装置が運転して当該部屋のみならず住宅全体が換気できることになり、使い勝手よくまた確実な換気運転が可能な換気システムを提供することができる。
【００７６】
なお、換気制御ユニット５０が集中制御ユニットＱからの換気運転指令信号を受けて排気用換気装置３０のファンモータ３３が運転中の場合には、風呂２やトイレ３の各扉６横の壁面に設けた換気操作スイッチ５１の操作を受け付けないので誤って換気装置を停止してしまい換気不足になる事もない。また集中制御ユニットＱも室内ユニットからの運転モード設定信号を受け、運転モードが「暖房」時には換気運転／停止ＳＷ６２の操作を受け付けないので同じく誤って換気運転を停止する事はない。
【００７７】
なお、台所で調理時には大風量の換気装置４０を運転するが排気と同時に給気を行う同時給排気型換気装置であるため、運転時に各居室の給気量が大きく増えてコールドドラフトなどで室内環境が悪化することは無い。
【００７８】
また、本実施形態においては給気用換気装置を空気調和機の各室内ユニットに内蔵した場合を例にとって説明したが、各室内ユニットには給気口だけを設けて別途設置した少なくとも一つ以上の給気用換気装置とダクトなどで接続した構成においても同様形態で採用できるものである。また本実施形態においては給気用換気装置を空気調和機の室内ユニットと組み合わせた場合を例に取って説明したが、空気調和機を省き各部屋に給気用換気装置を設けた場合や各部屋には給気口だけを設けて別途設置した少なくとも一つ以上の給気用換気装置とダクトなどで接続した構成においても同様形態で採用できるものである。
【産業上の利用可能性】
【００７９】
以上のように、本発明にかかる換気システムは、複数の部屋に給気用換気装置あるいは給気用換気装置からダクト接続された給気口を設けるとともに排気用換気装置を住宅全体で少なくとも一つ以上設けることで住宅全体を換気する換気経路を構成し、前記給気用換気装置が運転時には排気用換気装置の少なくとも一つ以上を運転させない制御構成としたことにより、一の部屋は閉め切って冷房しているが他の部屋で窓を開けている場合などでも給気用換気装置を運転するために当該部屋で換気量不足を起こすことがなく、また、同時に給気用換気装置が運転している場合には大風量で消費電力が大きい排気用換気装置を運転させず、無駄なく使い勝手よく、また必要な部屋に確実な換気を行うことができるので、ビル空調システムやトンネル内の換気・空調システムへの用途にも適用可能である。
【図面の簡単な説明】
【００８０】
【図１】本発明の実施の形態１の換気システムの設置構成図
【図２】制御回路の構成を示す機能ブロック図
【図３】本発明の実施の形態１の室内ユニットの構成図
【図４】本発明の実施の形態１の集中制御ユニットの外観図
【図５】従来の換気システムの構成図
【図６】従来の換気システムの構成図
【符号の説明】
【００８１】
Ａ、Ｂ、Ｃ    室内ユニット
Ｐ    室外ユニット
Ｑ    集中制御ユニット
Ｒ    リモコン
２４    給気用送風機
３０    排気用換気装置
４０    同時給排気型換気装置
５０    換気制御ユニット
５１    換気操作ＳＷ
【図１】
2005061737.tif 000003
【図２】
2005061737.tif 000004
【図３】
2005061737.tif 000005
【図４】
2005061737.tif 000006
【図５】
2005061737.tif 000007
【図６】
2005061737.tif 000008